(57)【要約】  磁性体セラミック素子の少なくとも一部を、ポーラスな磁性体セラミックから形成した場合にも、はんだ付け工程でフラックスを吸収して、はんだの溶融性やセルフアライメント性を損なうことのない積層コイル部品を提供する。  内部導体２とその周囲の磁性体セラミック１１との界面には空隙が存在せず、かつ、界面は解離しており、内部導体２の上側最外層と下側最外層の間に位置する中央領域７を構成する磁性体セラミックは、磁性体セラミック素子の側面３ａから内部導体に達する、ポア面積率６〜２０％の領域（サイドギャップ部８）を有し、中央領域の上側の第１の外層領域９ａ、および、中央領域の下側の第２の外層領域９ｂのうちの少なくとも一方（実装基板の搭載面側の外層領域）は、ポア面積率が５％未満となるように構成する。  磁性体セラミック素子の厚み寸法Ｔと幅寸法Ｗとを異ならせ、方向性が識別できるようにする。
2010035559.tif 000002
【特許請求の範囲】
【請求項１】
磁性体セラミック層を積層することにより形成され、Ａｇを主成分とするコイル形成用の内部導体を備えたセラミック積層体を焼成することにより形成された磁性体セラミック素子の内部に、前記内部導体を層間接続させることにより形成された螺旋状コイルを有する積層コイル部品であって、
前記内部導体と前記内部導体の周囲の磁性体セラミックとの界面には空隙が存在せず、
前記内部導体と前記磁性体セラミックとの界面が解離し、
前記磁性体セラミック素子内の、前記内部導体の上側最外層と下側最外層の間に位置する中央領域を構成する磁性体セラミックは、前記磁性体セラミック素子の側面から前記内部導体に達する、ポア面積率６〜２０％の領域を有しており、かつ、
前記磁性体セラミック素子内の前記内部導体の上側最外層の上面と、前記磁性体セラミック素子の上面との間の第１の外層領域、および、前記磁性体セラミック素子内の前記内部導体の下側最外層の下面と、前記磁性体セラミック素子の下面との間の第２の外層領域の少なくとも一方は、ポア面積率が５％未満であること  
を特徴とする積層コイル部品。
【請求項２】
前記第１および第２の外層領域のいずれもが、ポア面積率５％未満であることを特徴とする請求項１記載の積層コイル部品。
【請求項３】
前記内部導体の側部と、前記磁性体セラミック素子の側面との間の領域であるサイドギャップ部を構成する磁性体セラミックのポア面積率が６〜２０％の範囲にあることを特徴とする請求項１または２記載の積層コイル部品。
【請求項４】
前記中央領域を構成する磁性体セラミックの全体がポア面積率６〜２０％の磁性体セラミックであることを特徴とする請求項１または２のいずれかに記載の積層コイル部品。
【請求項５】
前記磁性体セラミック素子の互いに対向する一対の側面のそれぞれに、前記螺旋状コイルの一対の端部の一方が引き出されている場合において、前記螺旋状コイルの端部が引き出された側面から前記磁性体セラミック素子をみた場合の、積層方向寸法である厚み寸法と、積層方向に直交する方向の寸法である幅寸法とを異ならせたことを特徴とする請求項１〜４のいずれかに記載の積層コイル部品。
【請求項６】
前記第１および第２の外層領域のうち、積層コイル部品が搭載される実装基板と対向する搭載面側の外層領域の厚みが他方の外層領域より厚く、かつ、該搭載面側の外層領域のポア面積率が５％未満であることを特徴とする請求項１〜５のいずれかに記載の積層コイル部品。
【発明の詳細な説明】
【技術分野】
【０００１】
本発明は、磁性体セラミック層と、Ａｇを主成分とするコイル形成用の内部導体とを積層したセラミック積層体を焼成することにより形成される、磁性体セラミック素子の内部に螺旋状コイルが配設された構造を有する積層コイル部品に関する。
【背景技術】
【０００２】
近年、電子部品の小型化への要求が大きくなり、コイル部品に関しても、その主流は積層型のものに移りつつある。【０００３】
ところで、磁性体セラミックと内部導体を同時焼成して得られる積層コイル部品は、磁性体セラミック層と内部導体層との間で熱膨張係数の違いから発生する内部応力が、磁性体セラミックの磁気特性を低下させ、積層コイル部品のインピーダンス値の低下やばらつきを引き起こすという問題点がある。【０００４】
そこで、このような問題点を解消するために、焼成後の磁性体セラミック素子を酸性のめっき液中に浸漬処理して、磁性体セラミック層と内部導体層との間に空隙を設けることにより、内部導体層による磁性体セラミック層への応力の影響を回避して、インピーダンス値の低下やばらつきを解消するようにした積層型インピーダンス素子が提案されている（特許文献１）。【０００５】
しかしながら、この特許文献１の積層型インピーダンス素子においては，磁性体セラミック素子をめっき液に浸漬して、内部導体層が磁性体セラミック素子の表面に露出する部分からめっき液を内部に浸透させることにより、磁性体セラミック層と内部導体層の間に不連続な空隙を形成するようにしていることから、磁性体セラミック層間に内部導体層と空隙が形成されることになり、内部導体層が細って，磁性体セラミック層間に占める内部導体層の割合が小さくならざるを得ないのが実情である。
そのため、直流抵抗の低い製品をことが困難になるという問題点がある。特に寸法が、１．０ｍｍ×０．５ｍｍ×０．５ｍｍの製品や、０．６ｍｍ×０．３ｍｍ×０．３ｍｍの製品などのように小型の製品になると、磁性体セラミック層を薄くすることが必要になり、磁性体セラミック層間に内部導体層と空隙の両方を設けつつ、内部導体層を厚く形成することが困難になるため、直流抵抗の低減を図ることができなくなるばかりでなく、サージなどによる内部導体層の断線が発生しやすくなり、十分な信頼性を確保することができなくなるという問題点がある。
【特許文献１】特開２００４−２２７９８号公報
【発明の開示】
【発明が解決しようとする課題】
【０００６】
本発明は、上記課題を解決するものであり、積層コイル部品を構成する磁性体セラミック層と内部導体層の間に従来のような空隙を形成することなく、磁性体セラミック層と内部導体層の間で、焼成収縮挙動や熱膨張係数の違いから発生する内部応力の問題を緩和することが可能で、直流抵抗が低く、かつサージなどによる内部導体の断線が発生しにくい、信頼性の高い積層コイル部品であって、さらに、セルフアライメント性も確保することが可能で、実装性に優れた積層コイル部品を提供することを目的とする。
【課題を解決するための手段】
【０００７】
上記課題を解決するために、本発明（請求項１）の積層コイル部品は、
磁性体セラミック層を積層することにより形成され、Ａｇを主成分とするコイル形成用の内部導体を備えたセラミック積層体を焼成することにより形成された磁性体セラミック素子の内部に、前記内部導体を層間接続させることにより形成された螺旋状コイルを有する積層コイル部品であって、
前記内部導体と前記内部導体の周囲の磁性体セラミックとの界面には空隙が存在せず、
前記内部導体と前記磁性体セラミックとの界面が解離し、
前記磁性体セラミック素子内の、前記内部導体の上側最外層と下側最外層の間に位置する中央領域を構成する磁性体セラミックは、前記磁性体セラミック素子の側面から前記内部導体に達する、ポア面積率６〜２０％の領域を有しており、かつ、
前記磁性体セラミック素子内の前記内部導体の上側最外層の上面と、前記磁性体セラミック素子の上面との間の第１の外層領域、および、前記磁性体セラミック素子内の前記内部導体の下側最外層の下面と、前記磁性体セラミック素子の下面との間の第２の外層領域の少なくとも一方は、ポア面積率が５％未満であること  
を特徴としている。【０００８】
本発明の積層コイル部品においては、前記第１および第２の外層領域のいずれもが、ポア面積率５％未満であることが望ましい。【０００９】
前記内部導体の側部と、前記磁性体セラミック素子の側面との間の領域であるサイドギャップ部を構成する磁性体セラミックのポア面積率を、６〜２０％の範囲とすることができる。【００１０】
また、前記中央領域を構成する磁性体セラミックの全体を、ポア面積率６〜２０％の磁性体セラミックとしてもよい。【００１１】
また、前記磁性体セラミック素子の互いに対向する一対の側面のそれぞれに、前記螺旋状コイルの一対の端部の一方が引き出されている場合において、前記螺旋状コイルの端部が引き出された側面から前記磁性体セラミック素子をみた場合の、積層方向寸法である厚み寸法と、積層方向に直交する方向の寸法である幅寸法とを異ならせることが好ましい。【００１２】
また、前記第１および第２の外層領域のうち、積層コイル部品が搭載される実装基板と対向する搭載面側の外層領域の厚みが他方の外層領域より厚く、かつ、該搭載面側の外層領域のポア面積率を５％未満となるようにすることが望ましい。
【発明の効果】
【００１３】
本発明の積層コイル部品は、外層領域に挟まれた、積層方向における中央領域が、磁性体セラミック素子の側面から前記内部導体に達する、ポア面積率６〜２０％の領域を有する一方、上記中央領域を挟み込むように位置する第１および第２の外層領域の少なくとも一方を、ポア面積率が５％未満の緻密なものとしているので、緻密な外層領域が、実装基板と対向する搭載面側の外層領域となるような姿勢で実装を行うことにより、例えば、はんだリフローによる実装時に、はんだペースト中のフラックスが磁性体セラミック素子に吸収されてしまうことを防止することが可能になる。したがって、はんだ付け工程におけるはんだの溶融性やセルフアライメント性が良好で、実装性に優れた積層コイル部品を提供することが可能になる。【００１４】
また、中央領域は、磁性体セラミック素子の側面から内部導体に達する、ポア面積率６〜２０％の領域を有していることから、磁性体セラミック素子を酸性溶液に浸漬して磁性体セラミックと内部導体の界面に酸性溶液を到達させることにより、界面における内部導体と磁性体セラミックとの結合を効率よく切断することが可能になる。したがって、内部導体と前記内部導体の周囲の磁性体セラミックとの界面には空隙を存在させることなく、内部導体と磁性体セラミックとの界面が解離した状態として、内部導体の周囲の磁性体セラミックに応力が加わることを抑制、防止して、高特性で、しかも特性にばらつきが少なく、低抵抗で、サージなどによる内部導体の断線を抑制、防止することが可能な、信頼性の高い積層コイル部品を提供することが可能になる。【００１５】
また、第１および第２の外層領域の両方を、ポア面積率が５％未満の緻密な外層領域とすることにより、表裏の方向性を問題とすることなく実装することが可能になり、本発明をより実効あらしめることができる。【００１６】
また、本発明においては、中央領域を構成する磁性体セラミックは、磁性体セラミック素子の側面から前記内部導体に達する、ポア面積率６〜２０％の領域をその一部に有していればよいが、サイドギャップ部を構成する磁性体セラミックのポア面積率を、６〜２０％の範囲とすることにより、磁性体セラミックと内部導体の界面に酸性溶液をより確実に到達させることが可能になる。
また、サイドギャップ部のポア面積率を６〜２０％にすることは、通常の積層コイル部品の製造工程で用いられる、磁性体セラミックグリーンシートと内部導体形成用の導電性ペーストの組み合わせを考慮することにより効率よく実現することが可能で有意義である。【００１７】
また、上述のように、本発明においては、磁性体セラミック素子の側面から内部導体に達する、ポア面積率６〜２０％の領域をその一部に有していればよいが、中央領域を構成する磁性体の全体を、ポア面積率６〜２０％の磁性体セラミックとしてもよい。
この場合、焼成後にポア面積率６〜２０％となるような磁性体セラミックグリーンシートを積層して中央領域を構成することにより、特に複雑な製造プロセスを必要とすることなく、全体がポーラスな中央領域を容易かつ確実に形成することができて有意義である。【００１８】
また、磁性体セラミック素子の厚み寸法と幅寸法とを異ならせることにより、特に方向識別マークを付すことなく、磁性体セラミック素子の外層領域が配設された面（上下面）と形成されていない面（側面）とを識別することが可能になり、外層領域が配設された面が実装基板と対向するような姿勢で積層コイル部品を確実に実装することが可能になる。【００１９】
また、第１および第２の外層領域のうち、積層コイル部品が搭載される実装基板と対向する搭載面側の外層領域の厚みを、他方の外層領域より厚く、かつ、該搭載面側の外層領域のポア面積率を５％未満とすることにより、積層コイル部品全体として低背化を図りつつ、はんだペースト中のフラックスが磁性体セラミック素子に吸収されてしまうことを確実に抑制、防止することが可能になる。
【図面の簡単な説明】
【００２０】
【図１】本発明の実施例１にかかる積層コイル部品の構成を示す正面断面図である。
【図２】本発明の実施例１にかかる積層コイル部品の製造方法を示す分解斜視図である。
【図３】本発明の実施例１にかかる積層コイル部品の構成を示す側面断面図である。
【図４】本発明の実施例１にかかる積層コイル部品を実装基板上に実装した状態を示す図である。
【図５】本発明の他の実施例（実施例２）にかかる積層コイル部品の構成を示す側面断面図である。
【図６】本発明のさらに他の実施例（実施例３）にかかる積層コイル部品の構成を示す側面断面図である。
【図７】本発明のさらに他の実施例（実施例４）にかかる積層コイル部品の構成を示す正面断面図である。
【符号の説明】
【００２１】
１                磁性体セラミック層
２                内部導体
２ａ              上側最外層の内部導体
２ｂ              下側最外層の内部導体
２ｓ              内部導体の側部
３                磁性体セラミック素子
３ａ              磁性体セラミック素子の側面
４                螺旋状コイル
４ａ，４ｂ        螺旋状コイルの両端部
５ａ，５ｂ        外部電極
７                中央領域
８                サイドギャップ部
９ａ              第１の外層領域
９ｂ              第２の外層領域
１０              積層コイル部品（積層インピーダンス素子）
１１              磁性体セラミック
２１              中央領域用のセラミックグリーンシート
２１ａ            外層領域用のセラミックグリーンシート
２２              内部導体パターン（コイルパターン）
２３              積層体（未焼成の磁性体セラミック素子）
２４              ビアホール
３１              実装基板
３２              ランド
３３              はんだ
Ｌ                長さ寸法
Ｔ                厚み寸法
Ｗ                幅寸法
【発明を実施するための最良の形態】
【００２２】
以下、本発明の実施例を示して、本発明の特徴とするところをさらに詳しく説明する。
【実施例１】
【００２３】
図１は本発明の一実施例（実施例１）にかかる積層コイル部品（この実施例１では積層インピーダンス素子）の構成を示す断面図、図２はその製造方法を示す分解斜視図、図３は図１の積層コイル部品の構成を示す側面断面図である。
である。【００２４】
この積層コイル部品１０は、磁性体セラミック層１と、Ａｇを主成分とするコイル形成用の内部導体２とを積層した積層体を焼成する工程を経て製造されており、磁性体セラミック素子３の内部に螺旋状コイル４を備えている。
また、磁性体セラミック素子３の両端部には、螺旋状コイル４の両端部４ａ，４ｂと導通するように一対の外部電極５ａ，５ｂが配設されている。【００２５】
また、この積層コイル部品１０においては、内部導体２と、その周囲の磁性体セラミック１１との界面には空隙が存在せず、内部導体２とその周囲の磁性体セラミック１１とは、ほぼ密着しているが、内部導体２と磁性体セラミック１１とが界面で解離した状態となるように構成されている。
また、磁性体セラミック素子３の、上側最外層の内部導体２ａと下側最外層の内部導体２ｂ間に位置する中央領域７の、少なくとも内部導体２の側部２ｓと、磁性体セラミック素子３の側面３ａとの間の領域であるサイドギャップ部８は、ポア面積率が６〜２０％（この実施例１の積層型コイル部品では１８％）のポーラスな磁性体セラミックから構成されている。【００２６】
そして、この積層コイル部品１０においては、磁性体セラミック素子３内の上側最外層の内部導体２ａの上面と、磁性体セラミック素子３の上面との間の第１の外層領域９ａ、および、磁性体セラミック素子３内の下側最外層の内部導体２ｂの下面と、磁性体セラミック素子３の下面との間の第２の外層領域９ｂは、ポア面積率が５％未満（この実施例１の積層コイル部品１０では４％）の密な磁性体セラミックから構成されている。【００２７】
また、内部導体２と、その周囲の磁性体セラミック１１との界面には空隙が存在せず、内部導体２とその周囲の磁性体セラミック１１とは、ほぼ密着しているが、内部導体２と磁性体セラミック１１とが界面で解離した状態となるように構成されている。
なお、この実施例の積層コイル部品１０の寸法は、長さ寸法Ｌ＝１．０ｍｍ、厚み寸法Ｔ＝０．５ｍｍ、幅方向寸法Ｗ＝０．５ｍｍである。【００２８】
そして、この積層コイル部品１０においては、内部導体２と磁性体セラミック１１との界面に空隙がない状態で、内部導体２と磁性体セラミック１１の界面が解離しているため、内部導体を細らせることなく、内部導体の周囲の磁性体セラミックに加わる応力が緩和された積層コイル部品１０を得ることができる。したがって、特性のばらつきが少なく、直流抵抗を低減することが可能で、サージなどによる内部導体の断線が発生しにくい、高信頼性の積層コイル部品を得ることができる。【００２９】
次に、この積層コイル部品１０の製造方法について説明する。
(１)Ｆｅ2Ｏ3を４８．０ｍｏｌ％、ＺｎＯを２９．５ｍｏｌ％、ＮｉＯを１４．５ｍｏｌ％、ＣｕＯを８．０ｍｏｌ％の比率で秤量した磁性体原料を調製し、ボールミルにて４８時間の湿式混合を行った。次に、湿式混合したスラリーをスプレードライヤーにより乾操し、７００℃にて２時間仮焼した。
得られた仮焼物をボールミルにて１６時間湿式粉砕し、粉砕終了後にバインダーを所定量混合し、セラミックスラリーを得た。それから、このセラミックスラリーをシート状に成形して、厚み２５μｍの中央領域用のセラミックグリーンシートを作製した。
また、上記仮焼物と同じ仮焼物をボールミルで３２時間湿式粉砕し、粉砕終了後にバインダーを所定量混合し、セラミックスラリーを得た。それから、このセラミックスラリーをシート状に成形して、厚み２５μｍの外層領域用のセラミックグリーンシートを作製した。【００３０】
(２)次に、中央領域用のセラミックグリーンシートの所定の位置にビアホールを形成した後、セラミックグリーンシートの表面に内部導体形成用の導電性ペーストを印刷して、厚みが１６μｍのコイルパターン（内部導体パターン）を形成した。
なお、上記導電性ペーストとしては、不純物元素が０．１重量％以下のＡｇ粉末と、ワニスと、溶剤とを配合してなり、Ａｇ含有率が８５重量％の導電性ペーストを用いた。【００３１】
(３)次に、図２に模式的に示すように、内部導体パターン（コイルパターン）２２が形成された、中央領域用のセラミックグリーンシート２１を複数枚積層して圧着し、さらにその上下両面側にコイルパターンが形成されていない、外層領域用のセラミックグリーンシート２１ａを積層した後、１０００ｋｇｆ／ｃｍ2で圧着することにより、積層体（未焼成の磁性体セラミック素子）２３を得た。なお、各セラミックグリーンシートの積層方法などに特別の制約はない。
この未焼成の磁性体セラミック素子２３は、その内部に、各内部導体パターン（コイルパターン）２２がビアホール２４により接続されてなる積層型の螺旋状コイルを備えている。なお、コイルのターン数は７．５ターンとした。【００３２】
(４)それから圧着ブロックを所定のサイズにカットし、脱バインダーを行った後、８６０℃で焼結させることにより、内部に螺旋状コイルを備えた磁性体セラミック素子を得た。
このときの内部導体２の側部２ｓと、磁性体セラミック素子３の側面３ａとの間のサイドギャップ部８のポア面積率は１８％であることが確認されている。【００３３】
また、磁性体セラミック素子３内の上側最外層の内部導体２ａの上面と、磁性体セラミック素子３の上面との間の第１の外層領域９ａ、および、磁性体セラミック素子３内の下側最外層の内部導体２ｂの下面と、磁性体セラミック素子３の下面との間の第２の外層領域９ｂは、いずれもポア面積率が４％の緻密な磁性体セラミック層であることが確認されている。【００３４】
(５)それから、内部に螺旋状コイル４を備えた磁性体セラミック素子（焼結素子）３の両端部に外部電極形成用の導電性ペーストを塗布して乾燥した後、７５０℃で焼き付けることにより外部電極５ａ，５ｂ（図１参照）を形成した。
なお、外部電極形成用の導電性ペーストとしては、平均粒径が０．８μｍのＡｇ粉末と耐めっき性に優れたＢ−Ｓｉ−Ｋ系の平均粒径が１．５μｍのガラスフリットとワニスと溶剤とを配合した導電性ペーストを用いた。そして、この導電性ペーストを焼き付けることにより形成された外部電極は、以下のめっき工程でめっき液によって侵食されにくい緻密なものであった。【００３５】
(６)それから、形成された外部電極５ａ，５ｂに、Ｎｉめっき、Ｓｎめっきを行い、下層にＮｉめっき膜層、上層にＳｎめっき膜層を備えた２層構造のめっき膜を形成した。これにより、図１，図３に示すような構造を有する積層コイル部品（積層インピーダンス素子）１０が得られる。【００３６】
なお、上記めっき工程では、Ｎｉめっき液として、硫酸ニッケルを約３００ｇ／Ｌ、塩化ニッケルを約５０ｇ／Ｌ、ホウ酸を約３５ｇ／Ｌの割合で含み、ｐＨが４の酸性の溶液を用いた。
また、Ｓｎめっき液として、硫酸スズを約７０ｇ／Ｌ、硫酸アンモニウムを約１００ｇ／Ｌの割合で含み、ｐＨが５の酸性の溶液を用いた。【００３７】
それから、上述のようにして作製した、積層コイル部品を実装基板上にリフローはんだ付けの方法で実装した。図４に積層コイル部品を実装基板上に実装した状態を示す。【００３８】
図４に示すように、この実施例１の積層コイル部品１０を、実装基板３１のランド３２上にはんだ３３を介して実装した場合、磁性体セラミック素子３を構成する外層領域９ａ，９ｂのポア面積率が５％未満と低く、リフローはんだ付けの工程で用いたはんだペースト中のフラックスが外層領域（図４の状態では下側の外層領域９ａ）に吸収されることがなく、はんだが確実に溶融し、積層コイル部品１０が所定の位置に確実に実装されること（すなわち、セルフアライメント性に優れていること）が確認されている。【００３９】
また、外部電極にＮｉめっき、Ｓｎめっきを行う工程で、磁性体セラミック素子のサイドギャップ部から磁性体セラミックと内部導体の界面に酸性のめっき液が浸入して、内部導体と磁性体セラミックの界面における結合が切断されるため、内部導体の周囲の磁性体セラミックに加わる応力が緩和され、インピーダンスなどの特性が高く、かつ、ばらつきの少ない積層型コイル部品が得られることが確認されている。【００４０】
また、この実施例１の積層コイル部品を構成する磁性体セラミック素子の端面を収束イオンビーム加工（ＦＩＢ加工）して内部導体を露出させた後、加工面を走査電子顕微鏡（ＳＥＭ）により観察したところ、磁性体セラミックと内部導体との界面には空隙が形成されていないことが確認された。
【実施例２】
【００４１】
また、図５は、本発明の他の実施例（実施例２）にかかる積層コイル部品を示す側面断面図である。
この積層コイル部品１０は、図５に示すように、積層方向寸法である厚み寸法Ｔと、積層方向に直交する方向の寸法である幅寸法Ｗを異ならせて（実施例１では、厚み寸法Ｔ＝幅寸法Ｗ）、磁性体セラミック素子３の上下面と側面とを識別することを可能にするとともに、厚み寸法Ｔを、幅寸法Ｗよりも小さくして、低背化を図ったものである。厚み寸法Ｔは、例えば、０．５ｍｍ未満で、具体的には０．３ｍｍなどとすることが好ましい。なお、その他の構成は上記実施例１の積層型コイル部品に準じる。
なお、この積層コイル部品は、上下の外層領域用のセラミックグリーンシートの積層枚数を少なくするだけで、その他は上記実施例１の場合と同じ方法で製造することができる。【００４２】
この積層コイル部品のように、厚み寸法Ｔと、幅寸法Ｗを異ならせることにより、磁性体セラミック素子の上下面と側面を識別することが可能になり、特に方向識別マークなどを必要とすることなく、緻密な外層領域が実装基板と対向するような姿勢で容易かつ確実に実装することが可能になり有意義である。
【実施例３】
【００４３】
また、図６は、本発明のさらに他の実施例（実施例３）にかかる積層コイル部品を示す側面断面図である。
この積層コイル部品１０においては、下側の外層領域９ｂの厚みが、上側の外層領域９ａの厚みよりも厚く形成されているとともに、磁性体セラミック素子３は、厚み寸法Ｔが幅寸法Ｗよりも小さくなるように構成されている。なお、その他の構成は、上記実施例１の場合と同様である。
なお、この積層コイル部品は、上下の外層領域形成用のセラミックグリーンシートの積層枚数を異ならせることを除いて、上記実施例１の場合と同様の方法で製造することができる。【００４４】
この実施例３の積層コイル部品１０においては、厚み寸法Ｔが幅寸法Ｗよりも小さいため、低背化を実現することができるとともに、その形状から、磁性体セラミック素子３の上下面と側面を識別することができる。【００４５】
さらに、この積層コイル部品１０においては、下側の外層領域９ｂの厚みが厚く、上側の外層領域９ａの厚みが薄く形成されているため、厚みの厚い外層領域９ｂが実装基板と対向するような姿勢で実装することにより、はんだペースに含まれるフラックスの吸収を確実に抑制、防止することができる。【００４６】
ただし、この積層コイル部品の場合、実装時に上下面（実装基板と対向させるべき面）を識別するためのマークを付すことが必要になる。
なお、マークにより上下面を確実に識別して積層する場合には、実装時に実装基板と対向する下面側となる外層領域が緻密な磁性体セラミックから形成されていればよく、上面側となる方の外層領域は、必ずしもポア面積率が５％以下の緻密な磁性体セラミック層である必要はない。
【実施例４】
【００４７】
また、図７は、本発明のさらに他の実施例（実施例４）にかかる積層コイル部品を示す正面断面図である。
この積層コイル部品１０は、外部電極５ａ，５ｂを磁性体セラミック素子３の両端面から下面側にだけ回り込ませ、上面側には回り込ませないように配設した点で、上記実施例１〜３の積層コイル部品と異なるが、その他の構成は、上記実施例３の積層コイル部品と同様である。【００４８】
この実施例４の積層コイル部品１０においては、外部電極５ａ，５ｂが磁性体セラミック素子３の下面側にだけ回り込むように形成されていることから、外部電極５ａ，５ｂが方向識別用のマークとしても機能する。その結果、特に方向識別用のマークを設けることなく、磁性体セラミック素子３の上下面と側面を識別することができる。【００４９】
また、この実施例４の構成の場合、磁性体セラミック素子の端面から下面側に回り込んだ外部電極により、磁性体セラミック素子の上面と下面、及び側面を識別できるため、例えば、厚み寸法と幅寸法が同じで、上下の外部領域の厚みが異なるような場合にも、特に方向識別用のマークを設けることなく、実装時に磁性体セラミック素子の上下面、及び側面を識別して、厚みの厚いほうの外部領域が実装基板と対向するような姿勢で積層コイル部品を実装することができるという特有の作用効果を奏する。【００５０】
さらに、この積層コイル部品においては、外部電極が磁性体セラミック素子の下面側にだけ回り込むように形成され、上面側には形成されていないことから、それだけ低背化を図ることが可能になるとともに、上面側にまで外部電極が回り込んでいる場合に生じるような、他の配線などと干渉することによる不具合の発生を防止することができる。【００５１】
その他の点においても、上記実施例３の積層コイル部品の場合と同様の効果を得ることができる。
また、この実施例４の構成の場合も、上面側となる方の外層領域は、必ずしもポア面積率が５％以下の緻密な磁性体セラミック層とする必要はない。【００５２】
[比較例]
比較のため、中央領域用のセラミックグリーンシートとして、上記実施例１で外層領域用のセラミックグリーンシートとして用いたもの（焼結後にポア面積率が４％の緻密な磁性体セラミックとなるもの）と同じセラミックグリーンシートを用い、外層領域用のセラミックグリーンシートとしても同じセラミックグリーンシートを用いて積層コイル部品（比較例１）を作製した。【００５３】
さらに、外層領域用のセラミックグリーンシートとして、上記実施例１で中央領域用のセラミックグリーンシートとして用いたもの（焼結後にポア面積率が１８％のポーラスな磁性体セラミックとなるもの）と同じセラミックグリーンシートを用い、中央領域用としても同じセラミックグリーンシートを用いて積層コイル部品（比較例２）作製した。【００５４】
［特性の評価］
上述のようにして作製した本発明の実施例１〜４の積層コイル部品、および比較例１，２の積層コイル部品について、以下の方法でインピーダンスを測定するとともに、外層領域およびサイドギャップ部のポア面積率を測定した。さらに、各積層コイル部品を実装基板上にリフローはんだ付けの方法で実装して、その際のセルフアライメント性の良否を調べた。【００５５】
(ａ)インピーダンスの測定
３０個の試料について、インピーダンスアナライザ（ヒューレット・パッカード社製ＨＰ４２９１Ａ、ＨＰ１６１９６）を用いてインピーダンスの測定を行い平均値（ｎ＝３０ｐｃｓ）を求めた。【００５６】
(ｂ)ポア面積率の測定
磁性体セラミック素子の幅方向と厚み方向で規定される断面（以下、「Ｗ−Ｔ面」という）を鏡面研磨し、収束イオンビーム加工（ＦＩＢ加工）した面を走査電子顕微鏡（ＳＥＭ）により観察し、磁性体セラミック中のポア面積率を測定した。【００５７】
具体的には、ポア面積率は画像処理ソフト「ＷＩＮＲＯＯＦ（三谷商事(株)」により測定した。その具体的な測定方法は、以下の通りである。
ＦＩＢ装置                      ：ＦＥＩ製ＦＩＢ２００ＴＥＭ
ＦＥ−ＳＥＭ（走査電子顕微鏡）  ：日本電子製ＪＳＭ−７５００ＦＡ
ＷＩＮＲＯＯＦ（画像処理ソフト）：三谷商事株式会社製、Ｖｅｒ．５．６【００５８】
＜収束イオンビーム加工（ＦＩＢ加工）＞
上述の方法で鏡面研磨した試料の研磨面に対し、入射角５°でＦＩＢ加工を行った。【００５９】
＜走査電子顕微鏡（ＳＥＭ）による観察＞
ＳＥＭ観察は、以下の条件で行った。
加速電圧      ：１５ｋＶ
試料傾斜      ：０゜
信号          ：二次電子
コーティング  ：Ｐｔ
倍率          ：５０００倍【００６０】
＜ポア面積率の算出＞
ポア面積率は、以下の方法で求めた
ａ)計測範囲を決める。小さすぎると測定箇所による誤差が生じる。
（この実施例では、２２．８５μｍ×９．４４μｍとした）
ｂ)磁性体セラミックとポアが識別しにくければ明るさ、コントラストを調節する。  ｃ)２値化処理を行い、ポアのみを抽出する。画像処理ソフトＷＩＮＲＯＯＦの「色抽出」では完全でない場合には手動で補う。
ｄ)ポア以外を抽出した場合はポア以外を削除する。
ｅ)画像処理ソフトの「総面積・個数計測」で総面積、個数、ポアの面積率、計測範囲の面積を測定する。
本発明におけるポア面積率は、上述のようにして測定した値である。【００６１】
(ｃ)セルフアライメント性
故意に積層コイル部品の搭載位置のずれ（マウントずれ）が発生するように、搭載座標を中心から積層コイル部品の長さ方向に１５０μｍまたは幅方向に１５０μｍずらして実装し、大気雰囲気下でリフローした後、積層コイル部品の搭載位置に目標位置から５０μｍ以上のずれがあった場合を不良（×）と判定し、ずれが５０μｍ未満のものを良（○）と判定した。【００６２】
表１に、上述のようにして測定したサイドギャップ部のポア面積率および外層領域のポア面積率、インピーダンス（|Ｚ|）の値、セルフアライメント性の良否の判定結果を示す。【００６３】
【表１】
2010035559.tif 000003
【００６４】
表１に示すように、本発明の実施例１〜４の積層コイル部品の場合、高いインピーダンス値が得られている。これは、中央領域のサイドギャップ部のポア面積率が１８％と高く、外部電極へのめっき工程で磁性体セラミック素子の内部にめっき液が浸入することにより磁性体セラミックと内部導体の界面の結合が切断され、内部導体の周囲の磁性体セラミックに加わる応力が緩和されたことによるものである。【００６５】
また、本発明の実施例１〜４の積層コイル部品の場合、セルフアライメント性が良好であることが確認された。これは、外層領域がポア面積率４％と緻密で、実装工程で用いたはんだペースト中のフラックスが外層領域に吸収されることがなく、はんだの溶融性が良好に保たれたため、高いセルフアライメント性が確保されたものである。【００６６】
これに対し、中央領域用のセラミックグリーンシートとして、外層領域用のセラミックグリーンシート（焼結後にポア面積率が４％の緻密な磁性体セラミックとなるもの）と同じセラミックグリーンシートを用いて作製した積層コイル部品（比較例１）の場合、セルフアライメント性は良好であるものの、インピーダンス値が低くなっている。
これは、サイドギャップ部のポア面積率が４％と低く、外部電極へのめっき工程でサイドギャップ部から磁性体セラミック素子の内部にめっき液が浸入できず、内部導体とその周囲の磁性体セラミックの結合が切断されないことから、磁性体セラミックに応力が加わり、特性が低下したものである。【００６７】
また、外層領域用のセラミックグリーンシートとして、中央領域用のセラミックグリーンシート（焼結後にポア面積率が１８％のポーラスな磁性体セラミックとなるもの）と同じセラミックグリーンシートを用いて作製した積層コイル部品（比較例２）の場合、外部電極へのめっき工程で、めっき液が内部に浸入し、磁性体セラミックと内部導体の界面の結合が切断されるため、インピーダンスダンス値は高いものの、セルフアライメント性が不良となっている。これは、外層領域のポア面積率が１８％と高く、実装工程ではんだペースト中のフラックスが外層領域に吸収されてしまい、はんだの溶融性が低下した結果、セルフアライメント性の不良を招いたものである。【００６８】
なお、上記の各実施例では、中央領域用のセラミックグリーンシートと、外層領域用のセラミックグリーンシートとして、異なる条件（上記実施例では、仮焼物のボールミルによる粉砕時間が、中央領域用のセラミックグリーンシートの場合１６時間で、外層領域用のセラミックグリーンシートの場合３２時間と異なっている）で作製したセラミックグリーンシートを用いて、サイドギャップ部のポア面積率が所定の値以上になるようにしているが、磁性体セラミックの焼結収縮率が、内部導体の焼結収縮率よりも大きくなるようにして、両者の焼結収縮率の差によりサイドギャップ部のポア面積率が６〜２０％になるように構成することも可能である。
なお、その場合、内部導体の収縮率より磁性体セラミックの収縮率の方が大きいことを前提として、内部導体の焼結収縮率を０〜１５％とすることにより、サイドギャップ部のポア面積率を６〜２０％とすることができる。【００６９】
また、中央領域用のセラミックグリーンシートに内部導体パターンを形成した後に、内部導体パターンの周囲に、焼結後に、ポア面積率が６〜２０％の磁性体セラミックとなるようなセラミックペーストを塗布し、これを積層することにより、サイドギャップ部のポア面積率を６〜２０％とすることも可能である。【００７０】
また、上記の各実施例では、セラミックグリーンシートを積層する工程を備えた、いわゆるシート積層工法により製造する場合を例にとって説明したが、磁性体セラミックスラリーおよび内部導体形成用の導電性ペーストを用意し、これらを、各実施例で示したような構成を有する積層体が形成されるように印刷してゆく、いわゆる逐次印刷工法によっても製造することが可能である。【００７１】
さらに、例えば、キャリアフィルム上にセラミックスラリーを印刷（塗布）することにより形成されたセラミック層をテーブル上に転写し、その上に、キャリアフィルム上に電極ペーストを印刷（塗布）することにより形成された電極ペースト層を転写し、これを繰り返して、各実施例で示したような構成を有する積層体を形成する、いわゆる逐次転写工法によっても製造することが可能である。【００７２】
また、上記各実施例では、外部電極をめっきする際のめっき液を酸性溶液として利用し、積層コイル部品をこのめっき液に浸漬することにより、内部導体と、その周囲の磁性体セラミックとの界面の結合を切断するようにしているが、例えば、めっき工程よりも前の段階で、ＮｉＣｌ2溶液（ＰＨ３．８〜５．４）に積層コイル部品を浸漬するように構成することも可能である。また、さらに他の酸性溶液を用いることも可能である。【００７３】
また、上記の各実施例では、１個ずつ積層コイル部品を製造する場合（個産品の場合）を例にとって説明したが、量産する場合には、例えば、多数のコイル導体パターンをマザーセラミックグリーンシートの表面に印刷し、このマザーセラミックグリーンシートを複数枚積層圧着して未焼成の積層体ブロックを形成した後、積層体ブロックをコイル導体パターンの配置に合わせてカットし、個々の積層コイル部品用の積層体を切り出す工程を経て多数個の積層コイル部品を同時に製造する、いわゆる多数個取りの方法を適用して製造することが可能である。【００７４】
本発明の積層コイル部品は、さらに他の方法によっても製造することが可能であり、その具体的な製造方法に特別の制約はない。【００７５】
また、上記各実施例では、積層コイル部品が積層インピーダンス素子である場合を例にとって説明したが、本発明は、積層インダクタや積層トランスなど種々の積層コイル部品に適用することが可能である。【００７６】
また、本発明は、非磁性体セラミックを一部に含む開磁路構造の積層コイル部品にも適用することが可能である。【００７７】
本発明はさらにその他の点においても上記実施例に限定されるものではなく、外層領域を構成する磁性体セラミック素子のポア面積率の値、内部導体の厚みや磁性体セラミック層の厚み、製品の寸法、積層体（磁性体セラミック素子）の焼成条件などに関し、発明の範囲内において種々の応用、変形を加えることができる。
【産業上の利用可能性】
【００７８】
上述のように、本発明によれば、磁性体セラミック素子の少なくとも一部を、めっき液などを内部に浸透させることができるようにポーラスな磁性体セラミックから形成した場合にも、はんだ付け工程でフラックスを吸収して、はんだの溶融性やセルフアライメント性を損なうことのない積層コイル部品を得ることが可能になる。
したがって、本発明は、磁性体セラミック中にコイルを備えた構成を有する積層インピーダンス素子や積層インダクタなどをはじめとする種々の積層コイル部品に広く適用することが可能である。
【図１】
2010035559.tif 000004
【図２】
2010035559.tif 000005
【図３】
2010035559.tif 000006
【図４】
2010035559.tif 000007
【図５】
2010035559.tif 000008
【図６】
2010035559.tif 000009
【図７】
2010035559.tif 000010
【国際調査報告】
2010035559.tif 000011
2010035559.tif 000012
2010035559.tif 000013
2010035559.tif 000014